(57)【特許請求の範囲】
【請求項１】
システム全体の制御と各種演算処理を行うＣＰＵと、画像を表示するディスプレイ  データを記憶する記憶装置と、画像をデジタルデータに変換するデジタイザと、前記記憶装置に記憶された画像を分割登録する画像登録ソフトウエアとを備え、複数の断層画像が縦、横に整列されたフィルムを画像として読み込む医用画像処理システムにおいて、画像を前記デジタイザで読み込ませ、前記ＣＰＵが読み込んだ画像を前記ディスプレイに表示させ、前記ディスプレイに表示された画像の最上段の断層画像の最上点を含む横直線ｌおよび最上段の断層画像の最下点を含む横直線ｋおよび上から２段目の前記断層画像の最上点を含む横直線ｊおよび最左列の断層画像の最左点を含む縦直線ａおよび最左列の断層画像の最右点を含む縦直線ｂおよび左から２列目の断層画像の最左点を含む縦直線ｃの位置を操作者が基準線指定した場合に、前記ＣＰＵが前記横直線ｌと前記横直線ｋの位置から断層画像の縦幅を算出し、前記横直線ｋと前記横直線ｊの位置から上下に隣り合う断層画像の縦の間隙幅を算出し、前記縦直線ａと前記縦直線ｂの位置から断層画像の横幅を算出し、前記縦直線ｂと前記縦直線ｃの位置から左右に隣り合う断層画像の横の間隙を算出し、これらの算出された断層画像の横幅および縦幅および横の間隙幅および縦の間隙幅から各画像の切り出し枠を算出し、前記切り出し枠に従って断層画像を切り出し、医用画像サーバに送信する、ことを特徴とする医用画像処理システム。
【請求項２】
システム全体の制御と各種演算処理を行うＣＰＵと、画像を表示するディスプレイと、データを記憶する記憶装置と、画像をデジタルデータに変換するデジタイザと、前記記憶装置に記憶された画像を分割登録する画像登録ソフトウエアとを備え、複数の断層画像が縦、横に整列されたフィルムを画像として読み込む医用画像処理システムのプログラムにおいて、前記医用画像処理システムに、画像を前記デジタイザで読み込ませる機能と、前記ＣＰＵが読み込んだ画像を前記ディスプレイに表示させる機能と、前記ディスプレイに表示された画像の最上段の断層画像の最上点を含む横直線ｌおよび最上段の断層画像の最下点を含む横直線ｋおよび上から２段目の断層画像の最上点を含む横直線ｊおよび最左列の断層画像の最左点を含む縦直線ａおよび最左列の断層画像の最右点を含む縦直線ｂおよび左から２列目の断層画像の最左点を含む縦直線ｃの位置を操作者が基準線指定した場合に、前記ＣＰＵが前記横直線ｌと前記横直線ｋの位置から断層画像の縦幅を算出する機能と、前記横直線ｋと前記横直線ｊの位置から上下に隣り合う断層画像の縦の間隙幅を算出する機能と、前記縦直線ａと前記縦直線ｂの位置から断層画像の横幅を算出する機能と、前記縦直線ｂと前記縦直線ｃの位置から左右に隣り合う断層画像の横の間隙を算出する機能と、これらの算出された断層画像の横幅および縦幅および横の間隙幅および縦の間隙幅から各画像の切り出し枠を算出する機能と、前記切り出し枠に従って断層画像を切り出す機能と、医用画像サーバに送信する機能と、を有することを特徴とする医用画像処理プログラム。
【請求項３】
システム全体の制御と各種演算処理を行うＣＰＵと、画像を表示するディスプレイと、データを記憶する記憶装置と、画像をデジタルデータに変換するデジタイザと、前記記憶装置に記憶された画像を分割登録する画像登録ソフトウエアとを備え、複数の断層画像が縦、横に整列されたフィルムを画像として読み込む医用画像処理方法において、画像を前記デジタイザで読み込ませ、ＣＰＵが読み込んだ画像を前記ディスプレイに表示させ、前記ディスプレイに表示された画像の最上段の断層画像の最上点を含む横直線ｌおよび最上段の断層画像の最下点を含む横直線ｋおよび上から２段目の断層画像の最上点を含む横直線ｊおよび最左列の断層画像の最左点を含む縦直線ａおよび最左列の断層画像の最右点を含む縦直線ｂおよび左から２列目の断層画像の最左点を含む縦直線ｃの位置を操作者が基準線指定した場合に、前記ＣＰＵが前記横直線ｌと前記横直線ｋの位置から断層画像の縦幅を算出し、前記横直線ｋと前記横直線ｊの位置から上下に隣り合う断層画像の縦の間隙幅を算出し、前記縦直線ａと前記縦直線ｂの位置から断層画像の横幅を算出し、前記縦直線ｂと前記縦直線ｃの位置から左右に隣り合う断層画像の横の間隙を算出し、これらの算出された断層画像の横幅および縦幅および横の間隙幅および縦の間隙幅から各画像の切り出し枠を算出し、前記切り出し枠に従って断層画像を切り出し、医用画像サーバに送信する、ことを特徴とする医用画像処理方法。
【発明の詳細な説明】
【技術分野】
【０００１】本発明はＣＴ（Ｃｏｍｐｕｔｅｄ Ｔｏｍｏｇｒａｐｈｙ）検査、ＭＲＩ（Ｍａｇｎｅｔｉｃ Ｒｅｓｏｎａｎｃｅ Ｉｍａｇｉｎｇ）検査などの結果を印刷したフィルムの医用画像処理システムおよび医用画像処理プログラム、医用画像像処理方法に係り、特に印刷された画像をデジタルデータに変換し、１枚のフィルムに印刷された複数の断層画像を個別の断層画像に分割して保存する医用画像処理システムおよび医用画像処理プログラム、医用画像像処理方法に関する。
【背景技術】
【０００２】
診断に用いられた医用画像には保管義務がある。従来の画像保存方法は、複数の画像を印刷したフィルムをフィルムのまま保存していた。最近では前記医用画像をデジタルデータとして保管されるようになっている。
【０００３】しかし、例えば医用画像のデジタル通信に関する規格であるＤＩＣＯＭ（Ｄｉｇｉｔａｌ Ｉｍａｇｉｎｇ  ａｎｄ Ｃｏｍｍｕｎｉｃａｔｉｏｎｉｎ Ｍｅｄｉｃｉｎｅ）では、断層画像を一枚ずつ格納する方法が採用されている。このため、複数の断層画像が表示された１枚のフィルムから、画像を１枚ずつの断層画像に分割したデジタル画像を生成する必要がある。【０００４】
従来の画像分割方法は、特許文献１にあるように、１枚のフィルムに印刷された複数の断層画像に分割保存するために、まずフィルムをデジタイザで読み込み、このデジタルデータの画素値の分散を読み出し、画素値が大きく変化する位置から各画像の切り出し位置を算出する方法が採られてきた。
【特許文献１】特開２０００−３４２５３９号公報
【発明の開示】
【発明が解決しようとする課題】
【０００５】
しかしながら、例えば特許文献１の様に画素値で各断層画像の切り出し位置を算出する方法は、１つの画像の中に画素値が大幅に変化する部位があると、その部位を切り出し位置として認識してしまうという不具合があった。
【０００６】
本発明は、前述の従来技術による不具合を除去することであり、縦横それぞれの切り出し位置の基準位置を入力することにより、切り出し位置を算出することが可能な医用画像処理システム、および医用画像処理プログラム、および医用画像処理方法を提供することを目的とする。
【課題を解決するための手段】
【０００７】前記目的を達成するため、請求項１記載の発明は、システム全体の制御と各種演算処理を行うＣＰＵと、画像を表示するディスプレイと、データを記憶する記憶装置と、画像をデジタルデータに変換するデジタイザと、記憶装置に記憶された画像を分割登録する画像登録ソフトウエアとを備え、複数の断層画像が縦、横に整列されたフィルムを画像として読み込む医用画像処理システムにおいて、画像をデジタイザで読み込ませ、ＣＰＵが読み込んだ画像をディスプレイに表示させ、ディスプレイに表示された画像の最上段の断層画像の最上点を含む横直線ｌおよび最上段の断層画像の最下点を含む横直線ｋおよび上から２段目の断層画像の最上点を含む横直線ｊおよび最左列の断層画像の最左点を含む縦直線ａおよび最左列の断層画像の最右点を含む縦直線ｂおよび左から２列目の断層画像の最左点を含む縦直線ｃの位置を操作者が基準線指定した場合に、ＣＰＵが横直線ｌと横直線ｋの位置から断層画像の縦幅を算出し、横直線ｋと横直線ｊの位置から上下に隣り合う断層画像の縦の間隙幅を算出し、縦直線ａと縦直線ｂの位置から断層画像の横幅を算出し、縦直線ｂと縦直線ｃの位置から左右に隣り合う断層画像の横の間隙を算出し、これらの算出された断層画像の横幅および縦幅および横の間隙幅および縦の間隙幅から各画像の切り出し枠を算出し、切り出し枠に従って断層画像を切り出し、医用画像サーバに送信する、ことを特徴とする医用画像処理システムである。【０００８】また、請求項２記載の発明は、システム全体の制御と各種演算処理を行うＣＰＵと、画像を表示するディスプレイと、データを記憶する記憶装置と、画像をデジタルデータに変換するデジタイザと、記憶装置に記憶された画像を分割登録する画像登録ソフトウエアとを備え、複数の断層画像が縦、横に整列されたフィルムを画像として読み込む医用画像処理システムのプログラムにおいて、前記医用画像処理システムに、画像をデジタイザで読み込ませる機能と、ＣＰＵが読み込んだ画像をディスプレイに表示させる機能と、ディスプレイに表示された画像の最上段の断層画像の最上点を含む横直線ｌおよび最上段の断層画像の最下点を含む横直線ｋおよび上から２段目の断層画像の最上点を含む横直線ｊおよび最左列の断層画像の最左点を含む縦直線ａおよび最左列の断層画像の最右点を含む縦直線ｂおよび左から２列目の断層画像の最左点を含む縦直線ｃの位置を操作者が基準線指定した場合に、ＣＰＵが横直線ｌと横直線ｋの位置から断層画像の縦幅を算出する機能と、横直線ｋと横直線ｊの位置から上下に隣り合う断層画像の縦の間隙幅を算出する機能と、縦直線ａと縦直線ｂの位置から断層画像の横幅を算出する機能と、縦直線ｂと縦直線ｃの位置から左右に隣り合う断層画像の横の間隙を算出する機能と、これらの算出された断層画像の横幅および縦幅および横の間隙幅および縦の間隙幅から各画像の切り出し枠を算出する機能と、切り出し枠に従って断層画像を切り出す機能と、医用画像サーバに送信する機能と、を有することを特徴とする医用画像処理プログラムである。【０００９】また、請求項３記載の発明は、システム全体の制御と各種演算処理を行うＣＰＵと、画像を表示するディスプレイと、データを記憶する記憶装置と、画像をデジタルデータに変換するデジタイザと、記憶装置に記憶された画像を分割登録する画像登録ソフトウエアとを備え、複数の断層画像が縦、横に整列されたフィルムを画像として読み込む医用画像処理方法において、画像をデジタイザで読み込ませ、ＣＰＵが読み込んだ画像をディスプレイに表示させ、ディスプレイに表示された画像の最上段の断層画像の最上点を含む横直線ｌおよび最上段の断層画像の最下点を含む横直線ｋおよび上から２段目の断層画像の最上点を含む横直線ｊおよび最左列の断層画像の最左点を含む縦直線ａおよび最左列の断層画像の最右点を含む縦直線ｂおよび左から２列目の断層画像の最左点を含む縦直線ｃの位置を操作者が基準線指定した場合に、ＣＰＵが横直線ｌと横直線ｋの位置から断層画像の縦幅を算出し、横直線ｋと横直線ｊの位置から上下に隣り合う断層画像の縦の間隙幅を算出し縦直線ａと縦直線ｂの位置から断層画像の横幅を算出し、縦直線ｂと縦直線ｃの位置から左右に隣り合う断層画像の横の間隙を算出し、これらの算出された断層画像の横幅および縦幅および横の間隙幅および縦の間隙幅から各画像の切り出し枠を算出し、切り出し枠に従って断層画像を切り出し、医用画像サーバに送信する、ことを特徴とする医用画像処理方法である。
【発明の効果】
【００１０】本発明による医用画像処理システム、および医用画像処理プログラム、および医用画像処理方法によれば、操作者が指定した基準線を基に断層画像の切り出し枠を算出するので、適切な断層画像の切り出し枠をより少ない労力で決定でき、ＤＩＣＯＭ医用サーバなどに適切なフォーマットに変換して断層画像を１つずつ送信することができる、という優れた効果を奏する。
【発明を実施するための最良の形態】
【００１１】以下、本発明による医用画像処理システム、および医用画像処理プログラム、および医用画像処理方法の一実施形態を、図面を参照して詳細に説明する。実施形態がこれに限られないことはいうまでもない。図１は、医用画像の配設例を模式的に表した図である。図２は、本発明を実施するコンピューターシステムの全体図である。図３は、画像分割登録プログラムのフローチャートである。図４は、ディスプレイに表示される分割登録の操作画面である。図５は、ディスプレイに表示される画像分割の基準線を示した図である。図６は、ディスプレイ表示される断層画像の切り出し枠を示した図である。<用語の説明>フィルムに表示された画像とは、１枚のフィルム上に表示された複数の画像を含む全体を指す。断層画像とは、１枚のフィルム上に表示された個々の断層画像を指す。【００１２】
<構成の説明>  
図２は、本発明の医用画像処理プログラム、および医用画像処理方法を実施する医用画像処理システムの主要部分である。
【００１３】コンピューターシステムの主要部は、分割登録処理プログラムなどの各種処理を実行するＣＰＵ１２と、ＣＰＵ１２に接続されたキーボード６およびマウス７およびディスプレイ８と、複数の断層画像が縦、横に整列されたフィルムを読み込むデジタイザ９と、ＤＩＣＯＭ医用画像サーバ１７と、フィルムイメージャ１８と、ＤＩＣＯＭ医用画像サーバ１７およびまたはフィルムイメージャ１８に接続するための通信制御装置１１と、読み込んだ画像および画像ソフトウエアを記憶する記憶装置１３と、記憶装置に格納された画像登録ソフトウエア１４とからなる。必要に応じてＣＰＵに接続される光ディスク装置１５と、画像ソフトウエア１４を記録した同ソフトウエアのインストール用の光ディスク１６と、を加えることができる。また、本実施例のシステムはデジタイザで画像フィルム１０を読み込むように構成されている。【００１４】
<画面の説明>
本システムの分割登録処理プログラムによって表示される分割登録操作画面の構成例を、図４を使用して説明する。
分割登録操作画面は、患者情報と、ドロップダウンリストの分割タイプ２７と、ドロップダウンリストの分割数２８と、基準線表示ボタン１９と、枠線反映ボタン２０と、枠線表示ボタン２１と、分割枠線確定ボタン２２と、枠線初期化ボタン２３と、枠線消去ボタン２４と、画像登録ボタン２５と、閉じるボタン２６とから構成される。
【００１５】以下に各要素について説明する。前記患者情報は分割登録操作画面左上に、患者ＩＤ、患者名、誕生日、性別を表示する。ドロップダウンリストの分割タイプ２７は、分割した断層画像を同じサイズで記録するか、切り出し枠を拡大、あるいは縮小するかを選択するメニューであり、ドロップダウンリストの分割数２８は、画像フィルム上に縦、横にいくつの断層画像が表示されているかを選択するためのメニューである。基準線表示ボタン１９を押下すると分割登録処理プログラムは基準線をディスプレイ上に表示し、枠線反映ボタン２０を押下すると分割登録処理プログラムは位置指定された基準線から全ての枠線を算出して表示し、枠線表示ボタン２１を押下すると分割登録処理プログラムは図６のような切り出し枠を表示し、分割枠線確定ボタン２２を押下すると分割登録処理プログラムは切り出し枠を記憶装置１３に保存させ、枠線初期化ボタン２３を押下すると分割登録処理プログラムは表示された枠線を作業開始時の状態に戻し、枠線消去ボタン２４を押下すると分割登録処理プログラムは表示された枠線を消去し、画面登録ボタン２５を押下すると分割登録処理プログラムは断層画像を切り出し、さらに切り出した断層画像をＤＩＣＯＭ医用サーバ１７に送信し、閉じるボタン２６を押下すると分割登録処理プログラムは処理を終了させる。【００１６】<画像フィルムの説明>図１を用いて、本システムの読み込み対象となるフィルム１０を説明する。本システムの読み込み対象となるフィルム１０は病院などで使用する医用フィルムである。病院で行われる画像フィルムを使用する検査にはレントゲン検査、ＣＴ検査、ＭＲＩ検査などがある。レントゲン検査の画像フィルムは図１の１０（ａ）のように１枚のフィルムに１つの断層画像が表示される。【００１７】
ＣＴ検査やＭＲＩ検査では画像フィルム１０には図１の１０（ｂ）や１０（ｃ）のように、複数の断層画像が縦、横に所定の間隔を以って表示される。（ｂ）は１枚のフィルム１０に２５枚の断層画像が、（ｃ）は１枚のフィルムに２０枚の断層画像が表示された例である。
【００１８】<フローチャートの説明>図３を用いて、本発明の分割登録処理プログラムについて説明する。分割登録処理プログラムは、画像登録端末に接続されたデジタイザ９から画像フィルム１０を読み込む［ステップ４１］。【００１９】次に、分割登録処理プログラムは読み込んだ画像をデジタル変換し、画像登録端末のディスプレイ８上にプレビュー画面と分割登録操作画面を表示する［ステップ４２］。【００２０】
次に分割登録処理プログラムは、切り出し枠の位置が既に保存されているかどうか判定する［ステップ４３］。切り出し枠が保存されていたら、保存されている切り出し枠をディスプレイ８に表示する［ステップ４４］。切り出し枠が保存されていなかったら、初期化された基準線を表示する［ステップ４５］。初期化によって表示される基準線の数は、ユーザーによって分割登録操作画面のドロップダウンリストの分割数２８を用いて選択された分割数に基づいて表示される。分割数２８においては、例えば１×１、２×１、２×２、３×３、３×４、３×５、４×４、４×５、５×５、の９種類が選択可能である。
【００２１】
ステップ４５に次いで、基準線の位置指定を受信する［ステップ４６］。このステップは、操作者が基準線を操作し、基準線を所定の位置にマウスで移動させ、移動が完了した場合に枠線反映ボタン２０を押下することによって、分割登録処理プログラムは基準線の位置を受信する。
【００２２】ステップ４６に次いで、切り出し枠の保存を行う［ステップ４７］。このステップは、先ず分割登録処理プログラムがステップ４５で指定された基準線の位置から切り出し枠を算出し、ディスプレイ８に表示する。操作者が分割枠確定ボタン２２を押下すると、分割登録処理プログラムは記憶装置１３に位置情報を保存する。【００２３】ステップ４４またはステップ４７についで、分割登録処理プログラムはＤＩＣＯＭサーバ１７への断層画像データの転送を行う。このステップは、操作者が画像登録ボタン２５をマウスで押下することにより開始される。分割登録処理プログラムは画像登録ボタン２５をマウスで押下される、保存されている切り出し枠に従って断層画像を切り出し、ＤＩＣＯＭ医用画像処理サーバ１７に送信するフォーマットに切り出した断層画像を変換し、断層画像を他社ＤＩＣＯＭ医用画像処理サーバ１７に送信する。【００２４】
<切り出し枠算出の手順>
ステップ４６の切り出し枠算出手順について、図５を参照して詳しく述べる。
分割登録操作画面の分割数ボタン２８によって分割数が選択された後、基準線表示ボタン１９が押下されると分割登録処理プログラムはプレビュー画面上に図５のような基準線を表示する。
【００２５】
基準線とは、図５の横直線ｌ、ｋ、ｊと縦直線ａ、ｂ、ｃのことで、分割登録処理プログラムはこの基準線の位置を基に、フィルム上の断層画像の縦幅と横幅及び、左右に隣り合う断層画像の間の間隙の幅、及び上下に隣り合う断層画像の間の間隙の幅を算出し、算出されたこれらの数値を基に切り出し枠を算出する。
【００２６】
操作者は、マウスを用いて、先ず画面に表示された最上段の断層画像の最上点を含むように横直線ｌの位置を移動させ修正する。次に、画面に表示された最上段の断層画像の最下点を含むように横直線ｋの位置を移動させ修正する。次に画面に表示された上から２段目の断層画像の最上点を含むように横直線ｊの位置を移動させ修正する。次に、画面に表示された最左列の断層画像の最左点を含むように縦直線ａの位置を移動させ修正する。次に、次に画面に表示された最左列の断層画像の最右点を含むように縦直線ｂの位置を移動させ修正する。最後に、画面に表示された左から２番目の列の断層画像の最左点を含むように縦直線ｃの位置を移動させ修正する。
【００２７】画像フィルム上の断層画像は上下左右の間隔が規則正しく並んでいるために、上記の操作によって分割登録処理プログラムは、各断層画像の縦幅を横直線ｌの位置と横直線ｋの位置から、横幅を縦直線ａの位置と縦直線ｂの位置から、また断層画像同士の上下の間隔を横直線ｋの位置と横直線ｌの位置から、断層画像同士の左右の間隔を縦直線ｂの位置と縦直線ｃの位置からそれぞれ計算する。上述の基準線の位置指定が完了した場合には、操作者は分割登録操作画面の枠線反映ボタン２０を押下すると、分割登録処理プログラムは前記基準線の位置から上述のように切り出し枠を計算し、図６のような切り出し枠をディスプレイ上に表示する。【００２８】以上のように構成したことにより、本発明における医用画像処理システム、医用画像処理プログラム、医用画像処理方法は、操作者が目視確認をして切り出し枠を決定するので、適切な断層画像の切り出しを行うことができる。
【図面の簡単な説明】
【００２９】
【図１】医用画像の配設例を模式的に表した図である。
【図２】本発明を実施するコンピューターシステムの全体図である。
【図３】画像分割登録プログラムのフローチャートである。
【図４】ディスプレイに表示される分割登録の操作画面である。
【図５】ディスプレイに表示される画像分割の基準線を示した図である。
【図６】ディスプレイに表示される断層画像の切り出し枠を示した図である。
【符号の説明】
【００３０】６：キーボード、７：マウス、８：ディスプレイ、９：デジタイザ、１０：画像フィルム、１１：通信制御装置、１２：ＣＰＵ、１３：記憶装置、１４：画像登録ソフトウエア、１５：光ディスク装置、１６：光ディスク、１７：ＤＩＣＯＭ医用サーバ、１８：フィルムイメージャ。                                                                          以上
【図１】
0004761883.tif 000002
【図２】
0004761883.tif 000003
【図３】
0004761883.tif 000004
【図４】
0004761883.tif 000005
【図５】
0004761883.tif 000006
【図６】
0004761883.tif 000007